Podtech/llm-jp-corpus-v4-ja_patent huggingface dataset:
【手続補正書】
【提出日】平成31年2月5日(2019.2.5)
【手続補正１】
【補正対象書類名】特許請求の範囲
【補正対象項目名】全文
【補正方法】変更
【補正の内容】
【特許請求の範囲】
【請求項１】
基板を浮上させて搬送する浮上搬送装置であって、
前記基板の搬送経路を挟んで、下側浮上装置と上側浮上装置を有し、
前記下側浮上装置と前記上側浮上装置は、いずれも複数の浮上ブロックを有し、
前記各浮上ブロックは、搬送される前記基板に対向する面に、流体を噴出する噴出孔と、前記流体を吸引する吸引孔と、をそれぞれ複数有し、
前記下側浮上装置と前記上側浮上装置をそれぞれ構成する複数の前記浮上ブロックは、
前記基板の搬送方向において間隙を設けて配置され、
前記下側浮上装置を構成する複数の前記浮上ブロック間に有する前記間隙には、前記上側浮上装置を構成するいずれかの前記浮上ブロックが対向し、前記上側浮上装置を構成する複数の前記浮上ブロック間に有する前記間隙には、前記下側浮上装置を構成するいずれかの前記浮上ブロックが対向し、
前記下側浮上装置を構成する複数の前記浮上ブロック間に有する前記間隙と、前記上側浮上装置を構成する複数の前記浮上ブロック間に有する前記間隙とは、対向しないようにして配置されることを特徴とする浮上搬送装置。
【請求項２】
前記下側浮上装置を構成する複数の前記浮上ブロックと、前記上側浮上装置を構成する複数の前記浮上ブロックは、前記基板の搬送方向の長さが同じであることを特徴とする請求項１に記載の浮上搬送装置。
【請求項３】
前記下側浮上装置を構成する１つの前記浮上ブロックと、この浮上ブロックに対向する、前記上側浮上装置を構成する１つの前記浮上ブロックと、が重なる長さは、前記基板の搬送方向において、前記下側浮上装置を構成する１つの前記浮上ブロックにおける前記基板の搬送方向の長さの半分以下、であることを特徴とする請求項１または２に記載の浮上搬送装置。
【請求項４】
前記下側浮上装置と前記上側浮上装置とをそれぞれ構成する前記浮上ブロックは、前記基板の搬送方向とは直交する方向にも複数設けられることを特徴とする請求項１乃至３のいずれかに記載の浮上搬送装置。
【請求項５】
基板を浮上させて搬送しながら前記基板に対して処理を行う基板処理装置において、
前記基板を浮上させる浮上装置と、前記浮上装置によって浮上支持される前記基板を搬送方向に搬送する搬送力付与機構と、を有する浮上搬送装置と、
前記浮上搬送装置により浮上搬送される前記基板に対して処理流体を供給する処理流体供給機構と、
を有し、
前記浮上搬送装置は、請求項１乃至４のいずれかに記載の浮上搬送装置であることを特徴とする基板処理装置。
【請求項６】
前記下側浮上装置と前記上側浮上装置は、いずれも２つの前記浮上ブロックを有し、
前記下側浮上装置が有する２つの前記浮上ブロックによって形成される前記間隙は、前記上側浮上装置が有する２つの前記浮上ブロックによって形成される前記間隙よりも、前記基板の搬送方向の下流側に形成されることを特徴とする請求項５に記載の基板処理装置。
【請求項７】
前記処理流体供給機構は、
前記上側浮上装置が有する前記間隙に配置されて、前記処理流体を供給する第１の供給ノズルと、
前記下側浮上装置が有する前記間隙に配置されて、前記処理流体を供給する第２の供給ノズルと、
を有し、
前記搬送力付与機構によって搬送される前記基板の上面に前記第１の供給ノズルから前記処理流体を供給し、前記基板の下面に前記第２の供給ノズルから前記処理流体を供給することを特徴とする請求項６に記載の基板処理装置。
【手続補正２】
【補正対象書類名】明細書
【補正対象項目名】０００８
【補正方法】変更
【補正の内容】
【０００８】
実施形態に係る基板の浮上搬送装置は、
基板を浮上させて搬送する浮上搬送装置であって、
前記基板の搬送経路を挟んで、下側浮上装置と上側浮上装置を有し、
前記下側浮上装置と前記上側浮上装置は、いずれも複数の浮上ブロックを有し、
前記各浮上ブロックは、搬送される前記基板に対向する面に、流体を噴出する噴出孔と、前記流体を吸引する吸引孔と、をそれぞれ複数有し、
前記下側浮上装置と前記上側浮上装置をそれぞれ構成する複数の前記浮上ブロックは、
前記基板の搬送方向において間隙を設けて配置され、
前記下側浮上装置を構成する複数の前記浮上ブロック間に有する前記間隙には、前記上側浮上装置を構成するいずれかの前記浮上ブロックが対向し、前記上側浮上装置を構成する複数の前記浮上ブロック間に有する前記間隙には、前記下側浮上装置を構成するいずれかの前記浮上ブロックが対向し、
前記下側浮上装置を構成する複数の前記浮上ブロック間に有する前記間隙と、前記上側浮上装置を構成する複数の前記浮上ブロック間に有する前記間隙とは、対向しないようにして配置されることを特徴とする。
【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
直方体形状を有した本体部であって、開口部を区画する頂辺である後板頂辺を有した後板と、前記開口部を区画する頂辺である前板頂辺を有し前記後板に対向する前板と、前記前板および前記後板に直角で前記直方体形状の端面を構成する一対の本体脇板と、を有する前記本体部と、
前記後板頂辺に回動可能に連接されて前記開口部を覆う蓋部とを備え、
前記本体脇板は、前記本体脇板の頂辺である脇板頂辺を前記本体脇板の前後方向における幅全体にわたって前記前板頂辺よりも低い位置に備え、前記脇板頂辺から外側下方へ突き出るフラップ片をさらに備え、
前記蓋部の内面は、前記蓋部を閉じた状態において、前記フラップ片と係合する段差部を備える、
収納箱。
【請求項２】
前記前板と前記後板とのいずれか一方が基準板であり、
前記基準板の高さに対する前記本体脇板の高さの比率は、０．６０以上０．９５以下である、
請求項１に記載の収納箱。
【請求項３】
前後方向において前記本体脇板の幅に対する前記フラップ片の幅の比率は、０．４９以上０．７７以下である、
請求項１又は請求項２に記載の収納箱。
【請求項４】
前記前板は、前板フラップ片を備え、
前記後板は、後板フラップ片を備え、
前記前板フラップ片および前記後板フラップ片は、前記本体脇板の内側に配置され、
前記前板フラップ片と前記後板フラップ片の頂辺との少なくとも一方が、高さ方向において前記前板頂辺以下に位置する、
請求項１から３のいずれか一項に記載の収納箱。
【請求項５】
前記蓋部は、前記蓋部が閉じた状態において、前記開口部を閉じる蓋上板と、前記前板の一部を覆う掩蓋板と、前記本体脇板の一部を覆う蓋脇板とを備え、
前記掩蓋板は、掩蓋フラップを備え、前記掩蓋フラップは前記蓋脇板の内面に配置され、
前記段差部は、前記蓋脇板の内面において前記掩蓋フラップと前記蓋上板との間に位置し、
前記蓋脇板の高さ方向の長さに対する前記段差部の高さ方向の長さの比率は、０．２０以上０．６３以下である
請求項１から４のいずれか一項に記載の収納箱。
【請求項６】
薄膜状の長尺物が巻かれた巻回体と、
請求項１から請求項５のいずれか一項に記載の収納箱とを備える
巻回体入り収納箱。
【誤訳訂正書】
【提出日】令和1年8月6日(2019.8.6)
【誤訳訂正１】
【訂正対象書類名】特許請求の範囲
【訂正対象項目名】全文
【訂正方法】変更
【訂正の内容】
【特許請求の範囲】
【請求項１】
破砕による尿路結石の治療のための砕石術装置であって、少なくとも１つの尿路結石にエネルギを伝送するように構成されている砕石術導波管シャフトと、圧電スタックの形態の砕石術ドライバと、を含む、砕石術装置と、
前記砕石術装置を用いた治療の間に、前記砕石術装置による最適なエネルギの印加を決定するための信号データを提供するように構成されているセンシングデバイスと、
前記信号データを収集するように構成されているプロセッサと、
を含む砕石器であって、
前記センシングデバイスは、
前記導波管シャフトに対する外力を測定するセンサを備え、当該センサによる測定結果を信号データとして前記プロセッサへ提供し、
前記プロセッサは、
前記信号データに基づいて前記導波管シャフトが石と接触しているか否かを決定し、
破砕による尿路結石の治療のための砕石術装置であって、少なくとも１つの尿路結石にエネルギを伝送するように構成されている砕石術導波管シャフトと、圧電スタックの形態の砕石術ドライバと、を含む、砕石術装置と、
前記砕石術装置を用いた治療の間に、前記砕石術装置による最適なエネルギの印加を決定するための信号データを提供するように構成されているセンシングデバイスと、
前記信号データを収集するように構成されているプロセッサと、
を含む砕石器であって、
前記センシングデバイスは、
前記導波管シャフトに対する外力を測定するセンサを備え、当該センサによる測定結果を信号データとして前記プロセッサへ提供し、
前記プロセッサは、
前記信号データに基づいて前記導波管シャフトが石と接触しているか否かを決定し、
石接触の検出は、前記砕石器によるエネルギを印加することが適切であることを示し、
石接触がないことの検出は、前記砕石器によるエネルギの印加することが適切ではないことを示す、制御ロジックを有する、砕石器。
【請求項２】
前記制御ロジックは、更に、前記導波管シャフトが過度に石に対して押し付けられているか否かを決定し、過度に押し付けられている場合にはユーザに対する警告信号を生成する、請求項１に記載の砕石器。
【請求項３】
前記信号データが、電流、電圧、周波数、共鳴エネルギ情報、および位置情報のうちの少なくとも１つを含む、請求項１または２に記載の砕石器。
【請求項４】
前記センシングデバイスが、電磁エレメント、電気光学エレメント、電気インピーダンスエレメント、可変インピーダンスエレメント、歪みエレメント、流量センサ、加速度計、変位センサ、および圧電センサのうちの少なくとも１つをさらに含む、請求項１または２に記載の砕石器。
【請求項５】
前記砕石術導波管シャフトの遠位端部は、石を攻撃的に粉砕するために鋭い縁部を有している、請求項１または２に記載の砕石器。
【請求項６】
前記砕石術導波管シャフトが、真っ直ぐであり、かつ剛体である、請求項１または２に記載の砕石器。
【請求項７】
前記砕石術導波管シャフトが、可撓性である、請求項１または２に記載の砕石器。
【請求項８】
前記センシングデバイスが、前記砕石術装置を少なくとも部分的に取り囲むシースに連結されている、請求項１または２に記載の砕石器。
【誤訳訂正２】
【訂正対象書類名】明細書
【訂正対象項目名】００２５
【訂正方法】変更
【訂正の内容】
【００２５】
[0030]分析は、どのような種類の石、または石硬度、または石サイズに遭遇したかということを決定するために使用され得、次いで、送達される砕石術エネルギは、検出される石の性質に基づいて、より良好な石破壊効果を提供するように調整され得る。たとえば、周波数、駆動パターン、または変調は、検出される情報に基づいて調節され得る。共鳴エネルギ低減の検出は、ユーザによって印加される大きすぎる力の効果を特定するために使用され得、印加される石破壊エネルギの有効性を低下させる。検出される力が所定の閾値を超える場合には、アラートが、ユーザに提供され、印加される力を低減させることが可能である。所定の閾値は、たとえば、１５００ｇなどのような、任意の適切な量であることが可能である。
【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
ユーザの操作を受け付ける入力部と、
表示画面に表示させる複数のオブジェクトの各々に対応する複数のオブジェクトデータ要素を含んだオブジェクトデータに基づいて、ゲーム実行中に、前記オブジェクトデータ要素が示す基準時刻において前記表示画面上の基準位置に到達するように前記オブジェクトを前記基準位置の方向に移動させる制御部と、
前記入力部が受け付けたユーザの操作について評価を行う評価部と、
を備え、
前記複数のオブジェクトは、押下操作であって押下の継続中に操作位置を移動させるか否かを問わない長押し操作を前記ユーザに指示するオブジェクトを含む、
ゲーム装置。
【請求項２】
表示画面に表示させる複数のオブジェクトの各々に対応する複数のオブジェクトデータ要素を含んだオブジェクトデータに基づいて、ゲーム実行中に、前記オブジェクトデータ要素が示す基準時刻において前記表示画面上の基準位置に到達するように前記オブジェクトを前記基準位置の方向に移動させるステップと、
ユーザの操作を受け付けるステップと、
受け付けた前記操作について評価を行うステップと、
を含み、
前記複数のオブジェクトは、押下操作であって押下の継続中に操作位置を移動させるか否かを問わない長押し操作を前記ユーザに指示するオブジェクトを含む、
ゲーム装置の制御方法。
【手続補正２】
【補正対象書類名】明細書
【補正対象項目名】発明の名称
【補正方法】変更
【補正の内容】
【発明の名称】ゲーム装置、及びゲーム装置の制御方法
【手続補正書】
【提出日】令和1年11月11日(2019.11.11)
【手続補正１】
【補正対象書類名】特許請求の範囲
【補正対象項目名】全文
【補正方法】変更
【補正の内容】
【特許請求の範囲】
【請求項１】
遊技球が入球可能な始動口と、
遊技球が入球可能な第２始動口と、
第１の態様と、前記第１の態様よりも遊技球の入球可能性が高い第２の態様と、に変化可能な可変始動口と、
前記第２始動口への入球に基づいて取得した取得情報、及び、前記可変始動口への入球に基づいて取得した取得情報を記憶する第１取得情報記憶手段と、
前記始動口への入球に基づいて取得した取得情報を記憶する第２取得情報記憶手段と、
前記第１取得情報記憶手段に記憶する取得情報に基づいて変動表示する第１識別情報と、
前記第２取得情報記憶手段に記憶する取得情報に基づいて変動表示する第２識別情報と、
前記第１識別情報が変動表示する変動時間を決定する変動時間決定手段と、
前記第１識別情報又は前記第２識別情報の変動表示の結果が特定結果になると、遊技者に有利な特別遊技を実行する特別遊技実行手段と、を備え、
遊技球を流下する遊技領域として、第１遊技領域と、第２遊技領域と、を有し、前記第１遊技領域又は前記第２遊技領域に遊技球を発射して遊技することを可能とした遊技機であって、
前記変動時間決定手段は、前記第２取得情報記憶手段の記憶態様及び前記第１取得情報記憶手段の記憶態様によって設定される変動条件に基づいて、前記第１識別情報の変動時間を決定する
ことを特徴とする遊技機。
【手続補正２】
【補正対象書類名】明細書
【補正対象項目名】０００７
【補正方法】変更
【補正の内容】
【０００７】
上述の課題を解決するための第１発明の遊技機は、
遊技球が入球可能な始動口と、
遊技球が入球可能な第２始動口と、
第１の態様と、前記第１の態様よりも遊技球の入球可能性が高い第２の態様と、に変化可能な可変始動口と、
前記第２始動口への入球に基づいて取得した取得情報、及び、前記可変始動口への入球に基づいて取得した取得情報を記憶する第１取得情報記憶手段と、
前記始動口への入球に基づいて取得した取得情報を記憶する第２取得情報記憶手段と、
前記第１取得情報記憶手段に記憶する取得情報に基づいて変動表示する第１識別情報と、
前記第２取得情報記憶手段に記憶する取得情報に基づいて変動表示する第２識別情報と、
前記第１識別情報が変動表示する変動時間を決定する変動時間決定手段と、
前記第１識別情報又は前記第２識別情報の変動表示の結果が特定結果になると、遊技者に有利な特別遊技を実行する特別遊技実行手段と、を備え、
遊技球を流下する遊技領域として、第１遊技領域と、第２遊技領域と、を有し、前記第１遊技領域又は前記第２遊技領域に遊技球を発射して遊技することを可能とした遊技機であって、
前記変動時間決定手段は、前記第２取得情報記憶手段の記憶態様及び前記第１取得情報記憶手段の記憶態様によって設定される変動条件に基づいて、前記第１識別情報の変動時間を決定する
ことを特徴とするものである。
【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
判定条件の成立に基づいて、判定を実行する判定手段と、
その判定手段による判定結果を報知するための少なくとも複数の図柄列からなる識別情報を表示する表示手段と、
前記判定手段の判定結果を示すための前記識別情報として前記複数の図柄列のそれぞれで停止表示させる図柄を決定する停止図柄決定手段と、
前記表示手段に、前記識別情報を動的表示した後に前記停止図柄決定手段により決定された図柄で停止表示させる表示制御手段と、を有する遊技機において、
前記識別情報を前記表示手段に動的表示させる動的表示態様として、前記判定結果に基づいて、複数の動的表示態様から一の動的表示態様を決定する動的表示態様決定手段と、
１つ前に実行された動的表示後に停止表示された前記図柄の表示態様が特定条件を満たす場合に、その図柄に関連する特定演出表示をその次の動的表示の開始に基づいて前記表示手段に表示させることが可能な演出表示手段と、
その演出表示手段により表示された前記特定演出表示の内容が所定条件を満たした場合に、特殊演出を実行する特殊演出実行手段と、を有し、
前記複数の動的表示態様には、予め定められた特定動的表示態様が設定されており、
前記演出表示手段は、前記特定動的表示態様で動的表示される前記識別情報よりも１つ前の動的表示後に停止表示された前記図柄に関連した前記特定演出表示を表示させるものであることを特徴とする遊技機。
【請求項２】
前記表示手段は、液晶ディスプレイで構成されているものであることを特徴とする請求項１記載の遊技機。
【手続補正２】
【補正対象書類名】明細書
【補正対象項目名】０００１
【補正方法】変更
【補正の内容】
【０００１】
本発明は、パチンコ機等に代表される遊技機に関するものである。
【手続補正３】
【補正対象書類名】明細書
【補正対象項目名】０００２
【補正方法】変更
【補正の内容】
【０００２】
従来より、始動口への遊技球の入賞に伴って抽選を行い、その抽選結果に応じた演出を、液晶画面上に表示する遊技機が知られている。かかる演出では、遊技者に期待感を持たせるための演出や、遊技者の遊技への参加意欲を高めるための演出など、様々なパターンの演出が実行され、遊技の興趣向上が図られている。
【手続補正４】
【補正対象書類名】明細書
【補正対象項目名】０００３
【補正方法】削除
【補正の内容】
【手続補正５】
【補正対象書類名】明細書
【補正対象項目名】０００５
【補正方法】変更
【補正の内容】
【０００５】
この種のパチンコ機等において、さらに遊技に対する興趣を向上させた遊技機が求められていた。
【手続補正６】
【補正対象書類名】明細書
【補正対象項目名】０００６
【補正方法】変更
【補正の内容】
【０００６】
本発明は、上記例示した問題点等を解決するためになされたものであり、遊技に対する興趣を向上させた遊技機を提供することを目的とする。
【手続補正７】
【補正対象書類名】明細書
【補正対象項目名】０００７
【補正方法】変更
【補正の内容】
【０００７】
この目的を達成するために請求項１記載の遊技機は、判定条件の成立に基づいて、判定を実行する判定手段と、その判定手段による判定結果を報知するための少なくとも複数の図柄列からなる識別情報を表示する表示手段と、前記判定手段の判定結果を示すための前記識別情報として前記複数の図柄列のそれぞれで停止表示させる図柄を決定する停止図柄決定手段と、前記表示手段に、前記識別情報を動的表示した後に前記停止図柄決定手段により決定された図柄で停止表示させる表示制御手段と、を有するものであり、前記識別情報を前記表示手段に動的表示させる動的表示態様として、前記判定結果に基づいて、複数の動的表示態様から一の動的表示態様を決定する動的表示態様決定手段と、１つ前に実行された動的表示後に停止表示された前記図柄の表示態様が特定条件を満たす場合に、その図柄に関連する特定演出表示をその次の動的表示の開始に基づいて前記表示手段に表示させることが可能な演出表示手段と、その演出表示手段により表示された前記特定演出表示の内容が所定条件を満たした場合に、特殊演出を実行する特殊演出実行手段と、を有し、前記複数の動的表示態様には、予め定められた特定動的表示態様が設定されており、前記演出表示手段は、前記特定動的表示態様で動的表示される前記識別情報よりも１つ前の動的表示後に停止表示された前記図柄に関連した前記特定演出表示を表示させるものである。
【手続補正８】
【補正対象書類名】明細書
【補正対象項目名】０００８
【補正方法】変更
【補正の内容】
【０００８】
請求項２記載の遊技機は、請求項１記載の遊技機において、前記表示手段は、液晶ディスプレイで構成されているものである。
【手続補正９】
【補正対象書類名】明細書
【補正対象項目名】００１０
【補正方法】変更
【補正の内容】
【００１０】
請求項１記載の遊技機によれば、判定条件の成立に基づいて、判定を実行する判定手段と、その判定手段による判定結果を報知するための少なくとも複数の図柄列からなる識別情報を表示する表示手段と、前記判定手段の判定結果を示すための前記識別情報として前記複数の図柄列のそれぞれで停止表示させる図柄を決定する停止図柄決定手段と、前記表示手段に、前記識別情報を動的表示した後に前記停止図柄決定手段により決定された図柄で停止表示させる表示制御手段と、を有するものであり、前記識別情報を前記表示手段に動的表示させる動的表示態様として、前記判定結果に基づいて、複数の動的表示態様から一の動的表示態様を決定する動的表示態様決定手段と、１つ前に実行された動的表示後に停止表示された前記図柄の表示態様が特定条件を満たす場合に、その図柄に関連する特定演出表示をその次の動的表示の開始に基づいて前記表示手段に表示させることが可能な演出表示手段と、その演出表示手段により表示された前記特定演出表示の内容が所定条件を満たした場合に、特殊演出を実行する特殊演出実行手段と、を有し、前記複数の動的表示態様には、予め定められた特定動的表示態様が設定されており、前記演出表示手段は、前記特定動的表示態様で動的表示される前記識別情報よりも１つ前の動的表示後に停止表示された前記図柄に関連した前記特定演出表示を表示させるものである。よって、遊技に対する興趣を向上させることができるという効果がある。
【手続補正１０】
【補正対象書類名】明細書
【補正対象項目名】００１１
【補正方法】変更
【補正の内容】
【００１１】
請求項２記載の遊技機によれば、請求項１記載の遊技機の奏する効果に加え、次の効果を奏する。即ち、前記表示手段は、液晶ディスプレイで構成されているものである。よって、多様な表示態様を表示できるという効果がある。
【手続補正１１】
【補正対象書類名】明細書
【補正対象項目名】０９０７
【補正方法】変更
【補正の内容】
【０９０７】
１０                      パチンコ機（遊技機）
８１                      第３図柄表示装置（表示手段）
【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
遊技を行う遊技機であって、
電気部品を制御するための制御手段と、
前記制御手段からのシリアル通信方式による制御信号が入力されたことに応じて電気部品を駆動させるための特定信号を出力可能であるとともに、前記制御信号を他の出力手段に出力可能な出力手段と、
表示を行う表示手段と、
複数の態様に変化可能な可動部材と、
前記表示手段の表示領域のうち、前記可動部材に対応した領域に所定画像を表示する所定演出を実行可能な所定演出実行手段と、を備え、
前記出力手段は、前記制御信号を前記他の出力手段に出力するときの出力状態を、所定態様により波形が立ち上がる第１出力状態と、該第１出力状態よりも緩やかな変化態様により波形が立ち上がる第２出力状態とのいずれかの出力状態に設定可能であり、
当該出力手段と同一基板内に前記他の出力手段が設けられており、
前記出力手段は、前記第２出力状態に設定され、
前記所定演出実行手段は、前記可動部材の変化後の態様に応じて異なる態様の所定画像を表示する所定演出を実行可能である、
ことを特徴とする遊技機。
【請求項２】
遊技を行う遊技機であって、
電気部品を制御するための制御手段と、
前記制御手段からのシリアル通信方式による制御信号が入力されたことに応じて電気部品を駆動させるための特定信号を出力可能であるとともに、前記制御信号を他の出力手段に出力可能な出力手段と、
表示を行う表示手段と、
複数の態様に変化可能な可動部材と、
前記表示手段の表示領域のうち、前記可動部材に対応した領域に所定画像を表示する所定演出を実行可能な所定演出実行手段と、を備え、
前記出力手段は、前記制御信号を前記他の出力手段に出力するときの出力状態を、所定態様により波形が立ち上がる第１出力状態と、該第１出力状態よりも緩やかな変化態様により波形が立ち上がる第２出力状態とのいずれかの出力状態に設定可能であり、
当該出力手段が設けられている基板と配線部材を介して接続された他の基板に前記他の出力手段が設けられており、
前記出力手段は、前記第１出力状態に設定され、
前記所定演出実行手段は、前記可動部材の変化後の態様に応じて異なる態様の所定画像を表示する所定演出を実行可能である、
ことを特徴とする遊技機。
【手続補正２】
【補正対象書類名】明細書
【補正対象項目名】０００６
【補正方法】変更
【補正の内容】
【０００６】
（Ａ）上記目的を達成するため、本願発明に係る遊技機は、遊技を行う遊技機であって、電気部品を制御するための制御手段と、前記制御手段からのシリアル通信方式による制御信号が入力されたことに応じて電気部品を駆動させるための特定信号を出力可能であるとともに、前記制御信号を他の出力手段に出力可能な出力手段と、表示を行う表示手段と、複数の態様に変化可能な可動部材と、前記表示手段の表示領域のうち、前記可動部材に対応した領域に所定画像を表示する所定演出を実行可能な所定演出実行手段と、を備え、前記出力手段は、前記制御信号を前記他の出力手段に出力するときの出力状態を、所定態様により波形が立ち上がる第１出力状態と、該第１出力状態よりも緩やかな変化態様により波形が立ち上がる第２出力状態とのいずれかの出力状態に設定可能であり、当該出力手段と同一基板内に前記他の出力手段が設けられており、前記出力手段は、前記第２出力状態に設定され、前記所定演出実行手段は、前記可動部材の変化後の態様に応じて異なる態様の所定画像を表示する所定演出を実行可能である。
（Ｂ）上記目的を達成するため、本願発明に係る遊技機は、遊技を行う遊技機であって、電気部品を制御するための制御手段と、前記制御手段からのシリアル通信方式による制御信号が入力されたことに応じて電気部品を駆動させるための特定信号を出力可能であるとともに、前記制御信号を他の出力手段に出力可能な出力手段と、表示を行う表示手段と、複数の態様に変化可能な可動部材と、前記表示手段の表示領域のうち、前記可動部材に対応した領域に所定画像を表示する所定演出を実行可能な所定演出実行手段と、を備え、前記出力手段は、前記制御信号を前記他の出力手段に出力するときの出力状態を、所定態様により波形が立ち上がる第１出力状態と、該第１出力状態よりも緩やかな変化態様により波形が立ち上がる第２出力状態とのいずれかの出力状態に設定可能であり、当該出力手段が設けられている基板と配線部材を介して接続された他の基板に前記他の出力手段が設けられており、前記出力手段は、前記第１出力状態に設定され、前記所定演出実行手段は、前記可動部材の変化後の態様に応じて異なる態様の所定画像を表示する所定演出を実行可能である。
（１）上記目的を達成するため、他の遊技機は、遊技を行う遊技機（例えば、パチンコ遊技機１等）であって、表示を行う表示手段（例えば、画像表示装置５等）と、複数の態様に変化可能な可動部材（例えば、じゃんけんのグー、チョキ、パーの決まり手に変化可能な指部材３１１等）と、前記表示手段の表示領域のうち、前記可動部材に対応した領域に所定画像を表示する所定演出を実行可能な所定演出実行手段（例えば、画像表示装置５の表示領域における、演出用模型２００の指部材３１１と重畳する位置にエフェクト画像Ｅを表示する演出制御用ＣＰＵ１２０等）と、複数の電子部品（例えば、駆動機構８０１（各種モータ）、ソレノイド、センサ、第２ランプ部８０２、第３ランプ部８０３、第４ランプ部８０４、第５ランプ部８０５等）を制御する制御手段（例えば、演出制御用ＣＰＵ１２０、ＶＤＰ１２３Ａ、専用ＩＣ等）と、前記制御手段から出力される制御信号に基づいて、前記電子部品を駆動させるための駆動信号を出力する出力手段（例えば、シリアル・パラレル変換ＩＣ９１Ｂ〜９５Ｂ等）とを備え、前記出力手段は、制御信号の入力を受けて（例えば、図４０の時刻ｔ１）から所定期間（例えば、図４０の時刻ｔ１〜時刻ｔ２）経過後に駆動信号の出力を停止する停止手段（図４０：タイムアウト機能）を含み、前記所定演出実行手段は、前記可動部材の変化後の態様に応じて異なる態様の所定画像を表示する所定演出を実行可能（例えば、演出用模型２００の指部材３１１の変化後の形状を特定可能なエフェクト画像Ｅを表示すること等）であり、前記可動部材が動作しているか否かにかかわらず前記所定演出を実行する。
【手続補正書】
【提出日】平成30年12月28日(2018.12.28)
【手続補正１】
【補正対象書類名】特許請求の範囲
【補正対象項目名】全文
【補正方法】変更
【補正の内容】
【特許請求の範囲】
【請求項１】
開閉可能に形成される前面枠と、その前面枠の前面に配設されると共に球を貯留するための貯留領域を形成する貯留部材と、その貯留部材の貯留領域へ球を流入させる流入口とを備えた遊技機において、
前記流入口側の一端から他端へ向けて球を送球し前記貯留領域へ球が流入可能な通路として前記貯留領域の前記流入口が形成される側の側面に形成され、前記一端が前記流入口の下面の側方に連なる連通路を備え、
前記貯留領域の底面が前記流入口の下面よりも下方に位置し、
前記流入口の下面の前方側は、前記貯留領域の前記流入口が形成される側の側面を介して前記貯留領域の底面に連なり、前記流入口の下面の前方側から流下された球が前記貯留領域へ流下されるように形成され、
前記流入口は、前記貯留領域の一方側に位置され、前記連通路の他端は、前記貯留領域の一方側と反対側の他方側に位置されることを特徴とする遊技機。
【請求項２】
基板ボックスを備えることを特徴とする請求項１記載の遊技機。
【手続補正２】
【補正対象書類名】明細書
【補正対象項目名】０００２
【補正方法】変更
【補正の内容】
【０００２】
特許文献１には、貯留部材に関する構造が開示される。
【手続補正３】
【補正対象書類名】明細書
【補正対象項目名】０００４
【補正方法】変更
【補正の内容】
【０００４】
しかしながら、上述した従来の遊技機では、貯留領域の全体に球を分散させることが困難であるという問題点があった。
【手続補正４】
【補正対象書類名】明細書
【補正対象項目名】０００５
【補正方法】変更
【補正の内容】
【０００５】
本発明は、上記例示した問題点を解決するためになされたものであり、貯留領域の全体に球を分散させやすくできる遊技機を提供することを目的とする。
【手続補正５】
【補正対象書類名】明細書
【補正対象項目名】０００６
【補正方法】変更
【補正の内容】
【０００６】
この目的を達成するために請求項１記載の遊技機は、開閉可能に形成される前面枠と、その前面枠の前面に配設されると共に球を貯留するための貯留領域を形成する貯留部材と、その貯留部材の貯留領域へ球を流入させる流入口とを備えたものであり、前記流入口側の一端から他端へ向けて球を送球し前記貯留領域へ球が流入可能な通路として前記貯留領域の前記流入口が形成される側の側面に形成され、前記一端が前記流入口の下面の側方に連なる連通路を備え、前記貯留領域の底面が前記流入口の下面よりも下方に位置し、前記流入口の下面の前方側は、前記貯留領域の前記流入口が形成される側の側面を介して前記貯留領域の底面に連なり、前記流入口の下面の前方側から流下された球が前記貯留領域へ流下されるように形成され、前記流入口は、前記貯留領域の一方側に位置され、前記連通路の他端は、前記貯留領域の一方側と反対側の他方側に位置される。
【手続補正６】
【補正対象書類名】明細書
【補正対象項目名】０００９
【補正方法】変更
【補正の内容】
【０００９】
請求項１記載の遊技機によれば、貯留領域の全体に球を分散させやすくすることができる。
【手続補正７】
【補正対象書類名】明細書
【補正対象項目名】０４９４
【補正方法】変更
【補正の内容】
【０４９４】
１０                        パチンコ機（遊技機）
１２，３０１２              内枠（前面枠）
１４                        前面枠
２３                        払出口（流入口、第１流入口）
２３ａ                      下面
５０，２０５０              下皿（貯留部材）
５４，２０５４              底壁部材（底壁部）
５５，２０５５              側壁部材（側壁部）
５５１，２５５１            第１分割体（分割体）
５５２，２５５２            第２分割体（分割体）
５５３，２５５３            第３分割体（分割体）
５５４，２５５４            第４分割体（分割体）
５５５                      第５分割体（分割体）
５５６                      第６分割体（分割体）
５５７                      第７分割体（分割体）
５５１Ｘ〜５５７Ｘ          第１片
２５５１Ｘ〜２５５４Ｘ      第１片
５５１Ｙ〜５５７Ｙ          第２片
２５５１Ｙ〜２５５４Ｙ      第２片
５５２ｂ〜５５７ｂ          突起部（凸部）
５５１ｃ〜５５６ｃ          規制溝（凹部）
２５５２ｂ〜２５５４ｂ      突起部（凸部）
２５５１ｃ〜２５５４ｃ      規制溝（凹部）
５５２ｅ〜５５７ｅ          第１水平部（水平部）
５５２ｆ〜５５７ｆ          立設部
５５２ｇ〜５５５ｇ          第２水平部（延設部）
５５２ｍ〜５５６ｍ          開口部（規定手段）
２５５１ｍ〜２５５４ｍ      開口部（規定手段）
５５２ｎ〜５５６ｎ          係合片（規定手段、第１係合爪、第２係合爪）
５５２ｎ１〜５５６ｎ１      突部
２５５２ｎ〜２５５４ｎ      係合片（規定手段、第１係合爪、第２係合爪）
２５５２ｎ１〜２５５４ｎ１  突部
５５６ｒ，５５７ｒ          規制突部（規定手段）
５５１Ｓ２，２５５１Ｓ２    ストッパ部（係合部）
５５４ｔ，５５５ｔ          係合凹部（規定手段）
５６，２０５６              内壁部材
５６ａ                      規制部（当接部材）
５７，２０５７              軸支ピン（回転軸）
７７                        ロック機構（規定手段、禁止手段）
１００〜１０４ 基板ボックス
３３００                    第１迂回路（連通路）
３４００                    第２迂回路（連通路）
４５００                    第３迂回路（連通路）
４６００                    第４迂回路（連通路）
３３１０〜４６１０          転動面
３３１１，３４１１          立壁
６７００                    第５迂回路（連通路）
６７１０                    転動面
６７１１，６７１２          流下部
７０２５                    第６迂回路（連通路）
８４００                    第７迂回路（連通路）
８４００                    転動面
８８００                    延長迂回路（連通路）
８８１０                    転動面
７０２３                    第２払出口（第２流入口）
７０２４                    送球路
【手続補正書】
【提出日】令和1年6月4日(2019.6.4)
【手続補正１】
【補正対象書類名】明細書
【補正対象項目名】００２１
【補正方法】変更
【補正の内容】
【００２１】
このオルタネータ制御装置は、バッテリの劣化状態が所定の劣化レベルを超えている場合（バッテリの劣化状態が進んだ場合）に、急激な電力消費が発生する前にオルタネータの出力電圧を高めやすくなり、オルタネータの出力電圧不足に起因するトラブルが生じにくくなる。
【手続補正２】
【補正対象書類名】明細書
【補正対象項目名】００３５
【補正方法】変更
【補正の内容】
【００３５】
バッテリ状態判定部１２は、バッテリ９１の状態が「所定の正常状態」であるか否かを判定する部分である。バッテリ状態判定部１２は、少なくともバッテリ９１の劣化状態が所定の劣化レベルを超えていないことを条件としてバッテリ９１が「所定の正常状態」であると判定する。また、バッテリ状態判定部１２は、少なくともバッテリ９１の充電状態が所定の充電レベルを超えていることを条件としてバッテリ９１が「所定の正常状態」であると判定する。具体的には、バッテリ状態判定部１２は、バッテリ監視部９２から与えられたＳＯＣが所定の第１閾値を超えており、且つバッテリ監視部９２から与えられたＳＯＨが所定の第２閾値以下である場合に、バッテリ９１が「所定の正常状態」であると判定する。
【手続補正３】
【補正対象書類名】明細書
【補正対象項目名】００４１
【補正方法】変更
【補正の内容】
【００４１】
オルタネータ制御装置１は、ステップＳ１の後、ステップＳ２においてバッテリの劣化状態が閾値を超えていないか否か（具体的には、バッテリ監視部９２から取得したＳＯＨが第２閾値以下であるか否か）を判定する。オルタネータ制御装置１は、ステップＳ２においてバッテリ監視部９２から取得したＳＯＨが第２閾値以下であると判定した場合（バッテリの劣化状態が閾値を超えていない場合）、処理をステップＳ１に戻す。一方、オルタネータ制御装置１は、ステップＳ２においてバッテリ監視部９２から取得したＳＯＨが第２閾値を超えていると判定した場合（バッテリの劣化状態が閾値を超えている場合）、処理をステップＳ３に進める。
【手続補正４】
【補正対象書類名】明細書
【補正対象項目名】００５０
【補正方法】変更
【補正の内容】
【００５０】
オルタネータ制御装置１において、バッテリ状態判定部１２は、少なくともバッテリ９１の劣化状態が所定の劣化レベルを超えていないこと（具体的には、バッテリ９１のＳＯＨが第２閾値以下であること）を条件として所定の正常状態であると判定するように機能する。このオルタネータ制御装置１は、バッテリ９１の劣化状態が所定の劣化レベルを超えている場合（バッテリ９１の劣化状態が進んだ場合）に、急激な電力消費が発生する前にオルタネータ９３の出力電圧を高めやすくなり、オルタネータ９３の出力電圧不足に起因するトラブルが生じにくくなる。
【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
被検者の体内の投与された蛍光色素からの発光の画素値の経時的な変化を示す時間強度曲線を測定する時間強度曲線測定装置であって、
被検者の体内に投与された蛍光色素を励起させるための励起光を前記被検者に向けて照射する励起用光源と、
前記蛍光色素からの蛍光画像と前記被検者の組織を含むカラー画像とを撮影する撮像手段と、
前記撮像手段により撮影したカラー画像に基づいて、関心領域を追跡する関心領域追跡部と、
前記撮像手段により撮影した蛍光画像における予め設定された測定点の画素値を測定する画素値測定部と、
前記画素値測定部における画素値の測定位置を、前記関心領域追跡部により追跡した関心領域に対応させて移動させる測定位置移動部と、
を備えたことを特徴とする時間強度曲線測定装置。
【請求項２】
請求項１に記載の時間強度曲線測定装置において、
前記撮像手段は、前記蛍光色素からの蛍光画像を撮影する第１撮影素子と、前記被検者の組織を含むカラー画像を撮影する第２撮像素子と、を有する時間強度曲線測定装置。
【請求項３】
請求項１に記載の時間強度曲線測定装置において、
組織を含むカラー画像に基づいて組織表面におけるテカリ領域を除去するテカリ領域除去部をさらに備え、
前記関心領域追跡部は、前記テカリ領域除去部によりテカリ領域を除去された後のカラー画像に基づいて、前記関心領域を追跡する時間強度曲線測定装置。
【手続補正２】
【補正対象書類名】明細書
【補正対象項目名】００１３
【補正方法】変更
【補正の内容】
【００１３】
請求項３に記載の発明は、請求項１に記載の発明において、組織を含むカラー画像に基づいて組織表面におけるテカリ領域を除去するテカリ領域除去部をさらに備え、前記関心領域追跡部は、前記テカリ領域除去部によりテカリ領域を除去された後のカラー画像に基づいて、前記関心領域を追跡する。
【手続補正書】
【提出日】令和1年6月21日(2019.6.21)
【手続補正１】
【補正対象書類名】特許請求の範囲
【補正対象項目名】全文
【補正方法】変更
【補正の内容】
【特許請求の範囲】
【請求項１】
角柱状をなし、長手方向が平行になるように所定のピッチ間隔に配列されており、超音波の送受信を行う複数の圧電素子と、
前記圧電素子の配列方向に沿って、隣接する前記圧電素子を連結する連結部と、
前記圧電素子と前記連結部とを接合する音響部材と、
前記圧電素子が超音波の送受信を行う方向と交わらない位置において、前記連結部に固定されており、前記連結部より剛性が高い芯部材と、
を備え、
前記芯部材は、前記圧電素子の配列方向に沿って、前記連結部の内部に位置することを特徴とする超音波振動子。
【請求項２】
前記連結部は、前記圧電素子が送信した超音波を吸収するバッキング材であることを特徴とする請求項１に記載の超音波振動子。
【請求項３】
前記連結部は、前記圧電素子と観測対象との音響インピーダンスをマッチングさせる音響整合層であることを特徴とする請求項１に記載の超音波振動子。
【請求項４】
前記芯部材は、前記圧電素子の配列方向に沿って、前記連結部の側面に位置することを特徴とする請求項１に記載の超音波振動子。
【請求項５】
前記連結部は、前記圧電素子が超音波の送受信を行う面、又は前記圧電素子が超音波の送受信を行う面と反対側の面の全面を覆っていることを特徴とする請求項１に記載の超音波振動子。
【請求項６】
前記連結部は、前記圧電素子の前記長手方向の端部に位置することを特徴とする請求項１に記載の超音波振動子。
【請求項７】
前記圧電素子は、前記圧電素子の配列方向に沿って湾曲するように配列されていることを特徴とする請求項１に記載の超音波振動子。
【請求項８】
前記芯部材は、金属、合金、又は樹脂からなることを特徴とする請求項１に記載の超音波振動子。
【請求項９】
前記芯部材は、前記圧電素子の配列方向に沿って一連の形状をなすことを特徴とする請求項１に記載の超音波振動子。
【請求項１０】
請求項１に記載の超音波振動子を備えることを特徴とする超音波プローブ。
【請求項１１】
請求項１０に記載の超音波プローブが被検体内に挿入する挿入部の先端に配置されていることを特徴とする超音波内視鏡。
【手続補正書】
【提出日】令和1年7月17日(2019.7.17)
【手続補正１】
【補正対象書類名】特許請求の範囲
【補正対象項目名】請求項１
【補正方法】変更
【補正の内容】
【請求項１】
流体を収容可能な複数の流体セルを有するマット部と；
それぞれの前記流体セルへの前記流体の供給及び前記流体セルからの前記流体の排出を行う供給排出部と；
前記マット部に設けられ、使用者の体重が前記マット部に付与する圧力分布を検出する圧力分布検出部と；
前記圧力分布のうち前記使用者の身体の第１部位による部分圧力分布を指標にしながら、前記供給排出部を駆動して前記使用者の身体の第２部位に対応する前記流体セルに対して前記流体を供給又は排出して操作する流体調整部と；
を備える身体支持装置。
【手続補正書】
【提出日】令和1年10月8日(2019.10.8)
【手続補正１】
【補正対象書類名】特許請求の範囲
【補正対象項目名】全文
【補正方法】変更
【補正の内容】
【特許請求の範囲】
【請求項１】
たわみ方向を有する清掃体取付部を備える清掃具用のアーム部であって、
前記アーム部が、軸線及び周方向を備え、基端と、先端とを有し、
前記アーム部が、中空部を有し且つ内面を備えている第１筒体と、前記中空部内に挿入される第２筒体とを少なくとも備え、前記アーム部が、前記軸線の方向に伸縮可能であるように構成されており、
第１筒体が、前記基端よりの第１基端部と、前記先端よりの第１先端部とを有し、
第２筒体が、前記基端よりの第２基端部と、前記先端よりの第２先端部とを有し、
前記アーム部が、第１基端部において、第１筒体と連結しているロック部材であって、前記中空部に配置され且つ前記内面と摺動しない第１ロック部を備えているものを備え、
前記アーム部が、第２基端部において、第２筒体と連結している挿入部と、前記内面と摺動するように構成されている筒状部とを備える摺動部材を備え、
前記摺動部材が、前記筒状部に連結された第２ロック部であって、前記中空部に配置され且つ前記内面と摺動しないものをさらに備えており、
第１ロック部と、第２ロック部とが、それらの距離を近づけることによりロックし且つそれらの距離を遠ざけることによりアンロックするように構成されている、
ことを特徴とする、前記アーム部。
【請求項２】
第１ロック部及び第２ロック部の一方が嵌合用突起部であり、他方が嵌合用窪み部である、請求項１に記載のアーム部。
【請求項３】
前記嵌合用突起部が、一対の嵌合用突起部であって、それぞれが、前記軸線の方向に延びている延出部と、前記延出部の先端を基点として外方に突出している凸部とを有するものを備えており、そして前記嵌合用窪み部が、一対の嵌合用窪み部であって、それぞれが、外方に窪んでいる凹部を有するものを備えている、請求項２に記載のアーム部。
【請求項４】
前記筒状部が、前記たわみ方向の両側部に配置された、一対の高たわみ部と、前記たわみ方向の両端部に配置され且つ前記一対の高たわみ部よりも内方にたわみにくい、一対の低たわみ部とを備えている、請求項２又は３に記載のアーム部。
【請求項５】
前記筒状部が、前記一対の高たわみ部のそれぞれと、前記一対の低たわみ部のそれぞれとの間に、前記軸線の方向に延びるスリット部を備えている、請求項４に記載のアーム部。
【請求項６】
前記一対の高たわみ部のそれぞれが、前記周方向に延在し且つ前記内面と摺動するように構成された高たわみ部周方向延出部と、前記軸線の方向に延在し且つ前記内面と摺動するように構成された高たわみ部軸線方向延出部とを備えている、請求項４又は５に記載のアーム部。
【請求項７】
前記一対の低たわみ部のそれぞれが、前記周方向に延在し且つ第１筒体の前記内面と摺動するように構成された低たわみ部周方向延出部と、前記軸線の方向に延在し且つ前記内面と摺動するように構成された低たわみ部軸線方向延出部とを備えている、請求項４〜６のいずれか一項に記載のアーム部。
【請求項８】
第１筒体が、前記たわみ方向に長い、前記内面の断面形状を有する、請求項４〜７のいずれか一項に記載のアーム部。
【請求項９】
第１筒体が、前記基端よりの第１基端部と、前記先端よりの第１先端部とを有し、第１先端部における第１筒体の前記内面の断面形状が、第１基端部における第１筒体の前記内面の断面形状よりも小さく、前記一対の低たわみ部が、第１基端部における第１筒体の前記内面と接しないが、第１先端部における第１筒体の前記内面と接するように構成されている、請求項４〜８のいずれか一項に記載のアーム部。
【請求項１０】
第２ロック部が前記嵌合用突起部であり、前記嵌合用突起部が、前記一対の低たわみ部の一方又は両方を基点としている、請求項４〜９のいずれか一項に記載のアーム部。
【請求項１１】
第１筒体が、第１先端部の前記内面に、内方に突出する先端側係止部及び基端側係止部と、前記先端側係止部及び基端側係止部の間に配置された係合面とを備えており、前記アーム部が、前記筒状部と、第１筒体の前記係合面とを係合させることにより、前記アーム部の伸長形態を保持することができるように構成されている、請求項１〜１０のいずれか一項に記載のアーム部。
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
複数のリールと、
複数のストップスイッチと、
有利区間ランプと、
所定の表示装置と
を備え、
通常区間と、
所定の開始条件を充足した後から所定ゲーム数を上限として継続可能な遊技区間である有利区間と
を少なくとも有し、
前記有利区間の遊技では前記有利区間ランプが点灯可能であるよう構成されており、
前記通常区間の遊技では前記有利区間ランプが点灯しないよう構成されており、
特定の条件を満たすことにより、有利な操作態様を指示可能な指示状態を実行可能であり、
指示状態を実行している状況下であって、役抽選手段により所定役が当選した遊技では、有利な操作態様を指示するための指示情報を前記所定の表示装置に表示可能であるよう構成されており、
指示状態の終了に基づいて所定の演出を実行する場合があり、
前記所定の演出の後に指示状態を実行する場合と、前記所定の演出の後に指示状態を実行しない場合とを有し、
指示状態の終了に基づいて前記所定の演出を実行しているときは、前記有利区間ランプが点灯しているよう構成されている
ことを特徴とする回胴式遊技機。
【手続補正２】
【補正対象書類名】明細書
【補正対象項目名】０００６
【補正方法】変更
【補正の内容】
【０００６】
本態様に係る回胴式遊技機は、
複数のリールと、
複数のストップスイッチと、
有利区間ランプと、
所定の表示装置と
を備え、
通常区間と、
所定の開始条件を充足した後から所定ゲーム数を上限として継続可能な遊技区間である有利区間と
を少なくとも有し、
前記有利区間の遊技では前記有利区間ランプが点灯可能であるよう構成されており、
前記通常区間の遊技では前記有利区間ランプが点灯しないよう構成されており、
特定の条件を満たすことにより、有利な操作態様を指示可能な指示状態を実行可能であり、
指示状態を実行している状況下であって、役抽選手段により所定役が当選した遊技では、有利な操作態様を指示するための指示情報を前記所定の表示装置に表示可能であるよう構成されており、
指示状態の終了に基づいて所定の演出を実行する場合があり、
前記所定の演出の後に指示状態を実行する場合と、前記所定の演出の後に指示状態を実行しない場合とを有し、
指示状態の終了に基づいて前記所定の演出を実行しているときは、前記有利区間ランプが点灯しているよう構成されている
ことを特徴とする回胴式遊技機である。
＜付記＞
尚、本態様とは異なる別態様について以下に列記しておくが、これらには何ら限定されることなく実施することが可能である。
本別態様に係る回胴式遊技機は、
複数のリールと、
複数のストップスイッチと、
情報を表示可能な情報表示部として、第１情報表示部と、第２情報表示部と
を備え、
所定の開始条件を充足した後から所定ゲーム数を上限として継続可能な遊技区間である有利区間と、有利区間以外の遊技区間である非有利区間と、を少なくとも有し、
前記有利区間である旨と前記非有利区間である旨とのいずれかを第１情報表示部に表示するように構成されており、
所定の条件を満たすことにより、報知状態に制御可能であり、
前記報知状態に制御されている状況下において、少なくとも役抽選手段により所定役が当選した遊技で、前記所定役に対応するストップスイッチの操作態様を特定可能な情報を第２情報表示部に表示し得るよう構成されており、
第２情報表示部に表示可能な演出として、前記有利区間の継続を示唆する継続演出を少なくとも有しており、
前記継続演出を実行可能なゲームにおいては、前記継続演出の実行有無に関わらず、第１情報表示部に前記有利区間である旨を表示するよう構成されている
ことを特徴とする回胴式遊技機である。
【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
挿入部の先端側に開口するチャンネル出口と、
前記チャンネル出口から突出する処置具を起上可能な起上台と、
前記チャンネル出口の周縁部から前記挿入部の先端側に向けて突出しており、前記起上台により起上する前記処置具と接触可能な曲げ部とを備え、
前記起上台は、前記処置具の前記曲げ部との接触部よりも先端側を押圧する
内視鏡。
【請求項２】
前記挿入部の先端に回動可能に設けられたレバーと、
前記挿入部の先端に着脱することが可能なカバーとを備え、
前記起上台は、前記レバーに連結するレバー連結部を有し、回動可能に前記カバーの内側に設けられる
請求項１に記載の内視鏡。
【請求項３】
前記カバーは、前記起上台が起上した場合に該起上台の一部が突出する窓部を備え、
前記曲げ部は、前記窓部の内側に位置する
請求項２に記載の内視鏡。
【請求項４】
前記窓部の操作部側の縁から前記カバーの内面に向けて突出する突出部と、
前記突出部の先端に設けられた第１係合部と、
前記挿入部に設けられており、前記第１係合部と係合する第３係合部とを備え、
前記第３係合部は、前記曲げ部の基部に配置されている
請求項３に記載の内視鏡。
【請求項５】
前記起上台は、該起上台を起上させた場合に前記窓部の外側で前記処置具を操作部側に湾曲するように押圧する押圧部を含む
請求項３または請求項４に記載の内視鏡。
【請求項６】
前記起上台は、スプーン状の窪み部の縁で前記処置具を押圧する
請求項１から請求項５のいずれか一つに記載の内視鏡。
【請求項７】
内視鏡の挿入部の先端に回動可能に設けられたレバーと、前記挿入部の先端側に開口するチャンネル出口と、前記チャンネル出口の周縁部から前記挿入部の先端側に向けて突出する曲げ部とを備える内視鏡に着脱可能な内視鏡用キャップにおいて、
開口端部を有し、前記開口端部から前記挿入部の先端に着脱することが可能な有底筒型のカバーと、
前記レバーに連結するレバー連結部を有し、回動可能に前記カバーの内側に設けられる起上台とを備え、
前記内視鏡に取り付けて前記レバーを回動した場合に、前記起上台は前記チャンネル出口から突出する処置具を前記曲げ部との接触部よりも先端側で押圧する
内視鏡用キャップ。